(57)【要約】【課題】裁縫に必要な道具類は、縫い針、まち針、糸巻、ボビン、糸巻は小さく、また尖ったものが多く、一生懸命作業をして針が紛失したり、何が何処にあるのか分からなくなってしまうことは、珍しくない。能率の向上のためと、安全のために必要なものは一括して一つにまとめることが出来る裁縫用道具スタンドを提供する。【解決手段】合成樹脂を素材として、縦に裁縫用道具スタンド縦柱を、丸棒状にして上部には円盤状クッション置き、その上に、上部針山クッションを設け、裁縫用道具スタンド縦柱の下部には、回転式基盤を設け、その表面には、下部針山クッションを設け、縦の裁縫用道具スタンド縦柱の、正面、背面、右側面、左側面にも３個以上の複数個の糸巻保管棒を縦に斜め状に設けた。下部回転基盤は、床面に接している箇所には、ゴム製ずれ防止を複数個設け、ずれない構造にした事を特徴とする。【選択図】図１
2019084288.tif 000002
【特許請求の範囲】
【請求項１】
素材は合成樹脂を使用して、縦に裁縫用道具スタンド縦柱（１）を、丸棒状にして上部には円盤状クッション置き（３）と、小型裁縫用道具を掛ける保管棒（３−１）を複数本設け、更にその上に、布製上部針山クッション（４）を設け、その中心部にも上部針山クッション中央（４−１）を設け、裁縫用道具スタンド縦柱（１）の下部には、回転式基盤（５）を設け、前記回転基盤（５）に接する上部には、下部針山クッション置き（６）を設け、中心部にある縦の裁縫用道具スタンド縦柱（１）に平行に筒状にタチバサミ保管部（１２）と、鉛筆、メウチの細長道具保管部（１３）と、大中小物差し保管部（１４）も設け、縦の裁縫用道具スタンド縦柱（１）の、正面、背面、右側面、左側面にそれぞれ縦に斜め状にして糸巻保管棒（２）を３個以上の複数個設け、更に下部針山クッション置き（６）には、縦棒以外に外側に斜め状に、大きい糸巻き保管棒（２−１）も設け、下部回転基盤（５）は、床面に接している箇所には、ゴム製ずれ防止（５−１）を複数個設けているため、ずれない構造であり、縦の裁縫用道具スタンド縦柱（１）一式を回転させて糸巻きの種類を探す場合は、下部針山クッション置き（６）に一箇所、全体回転レバー（６−２）をつかんで回転自在に出来る事を特徴とする、裁縫用道具スタンド。
【請求項２】
裁縫用道具スタンドの素材は、合成樹脂を素材としているが、上部針山クッション（４）、針山クッション（４−１）、下部針山クッション（６）、ゴム製ずれ防止（５−１）以外は、金属または木材を使用することが出来る請求項１記載の裁縫用道具スタンド。
【発明の詳細な説明】
【技術分野】
【０００１】
裁縫に必要な、縫い針、まち針、糸巻を分かりやすいように一式をまとめて置くことが出来る裁縫用道具スタンドに関する。
【背景技術】
【０００２】
裁縫に必要な、道具類は縫い針、まち針を始め細く小さな物が多く、扱いを間違うと危険なこともある。
特開２００５-０６６３５７号公報（糸通しが容易に行える機能と構造を加えた裁縫道具と医療用針）に開示されているが、構造の違いが大きい。
【先行技術文献】
【特許文献】
【０００３】
【特許文献１】特開２００５-０６６３５７号公報
【発明の概要】
【発明が解決しようとする課題】
【０００４】
裁縫に必要な裁縫用道具は、縫い針、まち針、糸巻、ボビン、糸きりバサミ、タチバサミ、鉛筆、メウチ、リッパー、指ぬき、チャコペン、大中小物差し、等が必要である。
しかし、小さく尖ったものが多く、一生懸命作業をして針が紛失したり、何が何処にあるのか分からなくなってしまうことは、珍しくない。
また、縫い針に糸を通したまま何本も目の前に置いているうちに、糸が絡み大変苦労をする。能率の向上のためと、安全のために必要なものは一括して一つにまとめ、必要が生じたら直ぐ使用できる整理の仕方が重要であり、これは何とか解決しなければならない課題である。
【課題を解決するための手段】
【０００５】
課題を解決するために本発明は以下の構成とした。
素材は合成樹脂を使用して、縦に裁縫用道具スタンド縦柱（１）を、丸棒状にして上部には円盤状クッション置き（３）に、横並べに小型の裁縫用道具を掛ける保管棒（３−１）を複数本設け、更にその上に、布製上部針山クッション（４）を設け、その中心部にも上部針山クッション中央（４−１）を設けた。
【０００６】
合成樹脂を使用した裁縫用道具スタンド縦柱（１）の下部には、回転式基盤（５）を設け、その表面には、下部針山クッション置き（６）を設けた。
中心部にある縦の裁縫用道具スタンド縦柱（１）に平行に筒状にタチバサミ保管部（１２）と、鉛筆類の細長道具保管部（１３）と、大中小物差し保管部（１４）も設けた。
【０００７】
縦の裁縫用道具スタンド縦柱（１）の、正面、背面、右側面、左側面にそれぞれ縦に斜め状にして糸巻保管棒（２）を３個以上の複数個設け、下部針山クッション置き（６）の中心部にある縦の裁縫用道具スタンド縦柱（１）に平行に筒状にタチバサミ保管部（１２）と、鉛筆類の細長道具保管部（１３）と、大中小の物差し保管部（１４）を設けた。
更に下部針山クッション置き（６）には、縦棒以外に外側に斜め状に、大きい糸巻き保管棒（２−１）も設けた。
【０００８】
下部回転基盤（５）は、床面に接している箇所には、ゴム製ずれ防止（５−１）を複数個設けているため、ずれない構造であり、縦の裁縫用道具スタンド縦柱（１）一式を回転させて糸巻きの種類を探す場合に備えて、下部針山クッション置き（６）に一箇所、全体回転レバー（６−２）をつかんで回転させる事は容易に出来る構造にした。従って、回転自在に回して保管内容を確認することができる。
また、下部回転式基盤分解装置（５−２）から外して中を分解することが出来る。
【発明の効果】
【０００９】
本発明は，以下の効果を有する。
１．縫い針、まち針が散乱して怪我をするような心配はない。
２．小さいものが多く自分の周りにあると、紛失して中々見つからず能率が上がらないし、イライラするのは一般的であるが、常に整理整頓されているため能率が向上する。
３．複数本の縫い針にそれぞれ糸を通して、作業中に糸と糸が絡み合い困難することは裁縫用道具スタンドの上下にある布製クッションに差し込んで陳列してあるため困難がなくなる。特に上の針山に刺した針に通した糸は、下方に垂れ下がるためお互いに絡み合うことがない。
４．ミシンの糸巻きの糸と、ボビンに巻いた同じ糸を一緒に保管出来るので、上糸と下糸を間違えることがない。
５．上部円盤状クッション置きに、糸きりバサミその他の小さなものは複数本保管棒があるため散乱を防止出来る。
６．下部針山クッション置きの上部に、複数本の保管部を筒状に設けたためタチバサミ・大中小の物差し類・鉛筆その他の裁縫用道具に使用出来るものは一式保管出来るため作業能率・安全性の向上・安心感を持って裁縫に専念できる。
【図面の簡単な説明】
【００１０】
【図１】裁縫用道具スタンド正面図
【図２】裁縫用道具スタンド背面図
【図３】裁縫用道具スタンド平面図
【図４】裁縫用道具スタンド上部針山拡大説明図
【図５】裁縫用道具スタンド保管物を一式取り付けた背面図
【図６】裁縫用道具スタンド保管物を一式取り付けた正面図
【図７】裁縫用道具スタンド低面図
【図８】裁縫用道具スタンドの下部回転式基盤分解説明図
【発明を実施するための形態】
【００１１】
以下本発明の実施形態について説明する。
素材は合成樹脂を使用して、縦に裁縫用道具スタンド縦柱（１）を、丸棒状にして上部には円盤状クッション置き（３）と、糸バサミ他小型の裁縫用道具を掛ける保管棒（３−１）を複数本設け、更にその上に、布製上部針山クッション（４）を設け、その中心部にも上部針山クッション中央（４−１）を設けた。
裁縫用道具関係は、小さなもの尖ったもの、刃物、キリ状のもの色々あるが、布の下に隠れていて、手や足で危険な物を踏んで怪我をする恐れがあるため、作業上は万全な管理が必要である。
【００１２】
裁縫用道具スタンド縦柱（１）の下部には、回転式基盤（５）を設け、それに接する部分には、下部針山クッション置き（６）を設けた。
糸と針、糸巻きだけでは管理が不十分であり、下記の内容の道具は当然必要なため、万全な対策が必要である。
中心部にある縦の裁縫用道具スタンド縦柱（１）に平行に筒状にタチバサミ保管部（１２）と、鉛筆、メウチの細長道具保管部（１３）と、大中小物差し保管部（１４）も設けた。
【００１３】
縦の裁縫用道具スタンド縦柱（１）の、正面、背面、右側面、左側面にそれぞれ縦に斜め状にして糸巻保管棒（２）を３個以上の複数個設け、下部針山クッション置き（６）に、縦棒以外に外側に斜め状に、大きい糸巻き保管棒（２−１）も設けた。
【００１４】
下部回転基盤（５）は、床面に接している箇所には、ゴム製ずれ防止（５−１）を複数個設けているため、ずれない構造であり、縦の裁縫用道具スタンド縦柱（１）一式を回転させて糸巻きの種類を探す場合は、下部針山クッション置き（６）に一箇所、全体回転レバー（６−２）をつかんで回転させる事は容易に出来るようにした。
従って、回転自在に回して保管内容を確認することができる。
また、下部回転式基盤分解装置（５−２）から外して中を分解することが出来る。
【００１５】
布製上部針山クッション（４）、上部針山クッション中央（４−１）、下部針山クッション（６−１）、ゴム製ずれ防止（５−１）以外は、金属または木材を使用することが出来る。
【００１６】
縫い針（７）、まち針（８）、ボビン（９）、糸巻（１０）、糸（１１）、糸きりバサミ（３−１）タチバサミ（１２）、指ぬき（３−２）、大中小物差しは既存の物品である。
【符号の説明】
【００１７】
（１）    裁縫用道具スタンド縦柱
（２）    糸巻保管棒
（２−１）大きい糸巻用保管棒
（３）    上部円盤状クッション置き
（３−１）糸きりバサミ保管棒
（３−２）指ぬき
（３−３）指ぬき
（４）    上部針山クッション
（４−１）上部針山クッション中央
（５）    下部回転式基盤
（５−１）ゴム製ずれ防止
（５−２）下部回転式基盤分解装置
（６）    下部針山クッション置き
（６−１）下部針山クッション
（６−２）全体回転用レバー
（７）    縫い針
（８）    まち針
（９）    ボビン
（１０）  糸巻
（１１）  糸
（１２）  タチバサミ保管部
（１３）  各ペン類・縦長小物保管部
（１４）  大中小物差し保管部
【図１】
2019084288.tif 000003
【図２】
2019084288.tif 000004
【図３】
2019084288.tif 000005
【図４】
2019084288.tif 000006
【図５】
2019084288.tif 000007
【図６】
2019084288.tif 000008
【図７】
2019084288.tif 000009
【図８】
2019084288.tif 000010
【手続補正書】
【提出日】平成30年2月2日(2018.2.2)
【手続補正１】
【補正対象書類名】特許請求の範囲
【補正対象項目名】全文
【補正方法】変更
【補正の内容】
【特許請求の範囲】
【請求項１】
裁縫用道具スタンドの素材は、上部針山クッション（４）、針山クッション（４−１）、下部針山クッション（６−１）、ゴム製ずれ防止（５−１）以外は、合成樹脂であり、縦に裁縫用道具スタンド縦柱（１）を、丸棒状にして上部には円盤状クッション置き（３）と、小型裁縫用道具を掛ける保管棒（３−１）を複数本設け、更にその上に、布製上部針山クッション（４）を設け、その中心部にも上部針山クッション中央（４−１）を設け、裁縫用道具スタンド縦柱（１）の下部には、回転式基盤（５）を設け、前記回転基盤（５）に接する上部には、下部針山クッション置き（６）を設けて、上部に下部針山クッション（６−１）と、中心部にある縦の裁縫用道具スタンド縦柱（１）に平行に筒状にタチバサミ保管部（１２）と、鉛筆、メウチの細長道具保管部（１３）と、大中小物差し保管部（１４）も設け、縦の裁縫用道具スタンド縦柱（１）の、正面、背面、右側面、左側面にそれぞれ縦に斜め状にして糸巻保管棒（２）を３個以上の複数個設け、更に下部針山クッション置き（６）には、縦棒以外に外側に斜め状に、糸巻き保管棒（２）を設け、下部回転基盤（５）は、床面に接している箇所には、ゴム製ずれ防止（５−１）を複数個設けているため、ずれない構造であり、縦の裁縫用道具スタンド縦柱（１）一式を回転させて糸巻きの種類を探す場合は、下部針山クッション置き（６）に一箇所、全体回転レバー（６−２）をつかんで回転自在に出来る事を特徴とする、裁縫用道具スタンド。
【請求項２】
上部針山クッション（４）、針山クッション（４−１）、下部針山クッション（６−１）、
ゴム製ずれ防止（５−１）以外の裁縫道具スタンドの素材は、合成樹脂に代えて金属
または木材にした請求項１記載の裁縫用道具スタンド。